(57)【要約】【課題】  寝たきりの状態の老人や病気患者などの被介護人の糞尿臭を拡散させることなく、汚物の処理やおむつ替えを行うことが出来、また、その際に腰部を第三者から見られることのない、簡便な構造の臭気拡散防止器具を提供する。【解決手段】臥床状態での排尿・排便時或いはオムツ替え時等の臭気の拡散を防止するための臭気拡散防止器具であって、通気性を有する消臭性布帛及びパイプからなるテント状器具であり、該器具の側面および／または上面に開閉できる開口部を有する臭気拡散防止器具。【選択図】  図１
0003135134.tif 000002
【実用新案登録請求の範囲】
【請求項１】
臥床状態での排尿・排便時或いはオムツ替え時等の臭気の拡散を防止するための臭気拡散防止器具であって、通気性を有する消臭性布帛及びパイプからなるテント状器具であり、該器具の側面および／または上面に開閉できる開口部を有する臭気拡散防止器具。
【請求項２】
布帛が立体構造を有するものである請求項１記載の臭気拡散防止器具。
【請求項３】
前記臭気拡散防止器具の天井部および／または側面部に消臭性を有するプリーツ状布帛を取り付けてなる請求項１乃至２のいずれかに記載の臭気拡散防止器具。
【請求項４】
前記臭気拡散防止器具の人体侵入方向端部に切り込みが付設されてなる請求項１乃至３のいずれかに記載の臭気拡散防止器具。
【請求項５】
切り込み部にファスナーが付設されてなる請求項４記載の臭気拡散防止器具。
【請求項６】
消臭性布帛が、消臭剤を付与されてなる布帛か、または、消臭性繊維からなる布帛であることを特徴とする請求項１乃至５のいずれかに記載の臭気拡散防止器具。
【請求項７】
布帛の通気性が２０〜１００ｃｃ／ｃｍ２・ｓｅｃであることを特徴とする請求項１乃至６のいずれかに記載の臭気拡散防止器具。
【請求項８】
布帛がダブルラッセル編地であることを特徴とする請求項１乃至７のいずれかに記載の臭気拡散防止器具。
【請求項９】
布帛が着色されていることを特徴とする請求項１乃至８のいずれかに記載の臭気拡散防止器具。
【請求項１０】
覗き窓が設置されてなる請求項１乃至９のいずれかに記載の臭気拡散防止器具。
【請求項１１】
覗き窓が前記臭気拡散防止器具の側面に配されてなる請求項１０記載の臭気拡散防止器具。
【請求項１２】
覗き窓が前記臭気拡散防止器具の側面の開口部の上部に配されてなる請求項１０乃至１１のいずれかに記載の臭気拡散防止器具。
【請求項１３】
プラスチックパイプ或いはビニル被覆アルミニウムパイプで枠組みされてなる請求項１乃至１２のいずれかに記載の臭気拡散防止器具。
【考案の詳細な説明】
【技術分野】
【０００１】
本考案は、主に寝たきりで介護の必要な人やトイレに行けない入院患者（以下、被介護人と記す）が、ベッドなどの寝具上に臥床したままの状態で、排尿、排便や、下着やおむつ交換をする際に、被介護人の腰部、若しくは、体全体を覆うことで、臭気の拡散防止とともに第三者の視線を遮る遮蔽幕としての機能を有する臭気拡散防止器具に関するものである。
【背景技術】
【０００２】
近年、急速に高齢化が進み、それに伴い寝たきりの状態になる老人が増えてきている。このような状態になると、家庭においては家族やヘルパーなどが介護することになるが、介護の中でも、被介護人の糞尿の処理やおむつを取り替える際には糞尿の臭気が室内に漂い、本人はもちろん介護者やその他の家人まで苦痛を伴うものである。これが介護施設や病院になると、被介護人の数が増えるため、上記処置の回数も増加し、臭気が室内にこもることも多くなる。また、排便やおむつ替えを第三者に見られることは被介護人にとっては精神的苦痛を伴うものであった。
【０００３】
これを解決するものとして、実用新案文献１には、脚付台枠の中央上部に消臭剤を詰入した消臭室と該消臭室に連結した吸排気装置を備え、該脚付台枠の上面と側周面にファスナーを付設した隠蔽布を被着し、吸排気装置の排出口に長い可撓パイプを脱着自在に連設した患者排便用消臭装置が提案されている。
また、特許文献１には、おむつ交換時に使用する、においを吸い込む空気吸入口と消臭したにおいを室外に吹き出すための空気吹出口を有する消臭装置が提案されている。
また、特許文献２には、人工竜巻を利用した集気装置とこれによって捕集された気体を消臭処理するための消臭装置が提案されている。
また、特許文献３には、汚物を収納して、汚物から生じる臭気を屋外に放出させ且つ汚物の包装処理を容易にすることができる脱臭用ボックスが提案されている。
【０００４】
【非特許文献１】実開昭５６−１４３２０号公報
【特許文献１】特開２０００−５２４２号公報
【特許文献２】特開２００６−３０８２２５号公報
【特許文献３】特開２００１−１７４８７号公報
【考案の開示】
【考案が解決しようとする課題】
【０００５】
実用新案文献１の消臭装置は、起きあがれない患者などの被介護人の腰部を覆う形状であり、隠遮布と被介護人の腰部との間で発生した臭気を排気し、消臭する構造であるが、吸引排気装置を稼働させるために、電池や商用電源を使用しなければならず、また、吸排気装置の排出口に長い可撓パイプを連設しなければならないため、使用方法が煩雑であり、装置が高価になりやすく、また騒音を発生する虞があった。
また、  特許文献１〜３に記載の消臭装置は、被介護人の上下部や左右側部に離間して設置する事を前提としており、臭気を集気し消臭すると考えられるが、完全に覆われた状態ではない為、周囲に臭気が拡散する虞があり、消臭効果が劣る物となる。
また、特に特許文献１や２に記載の消臭装置は、臭気をパイプなどの導管を接続し排気するため、吸引力の強いファン及び／またはモーターを使用する必要があり騒音を発生する虞がある。また、かなり大型の装置であるので簡単に移動できず、高額なものであり、一般家庭はもちろん介護施設や病院にも経済的な負担を強いるものである。
また、特許文献１〜３に記載のものは、上記のように被介護人の腰部や全身を覆い隠す構造ではないため、第三者に見られることによる被介護人の精神的苦痛を解消できない。
本考案は上記問題に鑑みてなされたもので、その目的とするところは、寝たきりの状態の老人や病気患者などの被介護人の糞尿臭を拡散させることなく、汚物の処理やおむつ替えを行うことが出来、また、その際に腰部を第三者から見られることのない、簡便な構造の臭気拡散防止器具を提供することにある。
【課題を解決するための手段】
【０００６】
すなわち、本考案は、（１）に、臥床状態での排尿・排便時或いはオムツ替え時等の臭気の拡散を防止するための臭気拡散防止器具であって、通気性を有する消臭性布帛及びパイプからなるテント状器具であり、該器具の側面および／または上面に開閉できる開口部を有する臭気拡散防止器具である。
【０００７】
また、（２）に、布帛が立体構造を有するものである（１）記載の臭気拡散防止器具である。
【０００８】
また、（３）に、前記臭気拡散防止器具の天井部および／または側面部に消臭性を有するプリーツ状布帛を取り付けてなる（１）乃至（２）のいずれかに記載の臭気拡散防止器具である。
【０００９】
また、（４）に、前記臭気拡散防止器具の人体侵入方向端部に切り込みが付設されてなる（１）乃至（３）のいずれかに記載の臭気拡散防止器具である。
【００１０】
また、（５）に、切り込み部にファスナーが付設されてなる（４）記載の臭気拡散防止器具である。
【００１１】
また、（６）に、消臭性布帛が、消臭剤を付与されてなる布帛か、または、消臭性繊維からなる布帛であることを特徴とする（１）乃至（６）のいずれかに記載の臭気拡散防止器具である。
【００１２】
また、（７）に、布帛の通気性が２０〜１００ｃｃ／ｃｍ２・ｓｅｃであることを特徴とする（１）乃至（６）のいずれかに記載の臭気拡散防止器具である。
【００１３】
また、（８）に、布帛がダブルラッセル編地であることを特徴とする（１）乃至（７）のいずれかに記載の臭気拡散防止器具である。
【００１４】
また、（９）に、布帛が着色されていることを特徴とする（１）乃至（８）のいずれかに記載の臭気拡散防止器具である。
【００１５】
また、（１０）に、覗き窓が設置されてなる（１）乃至（９）のいずれかに記載の臭気拡散防止器具である。
【００１６】
また、（１１）に、覗き窓が前記臭気拡散防止器具の側面に配されてなる（１０）記載の臭気拡散防止器具である。
【００１７】
また、（１２）に、覗き窓が前記臭気拡散防止器具の側面の開口部の上部に配されてなる（１０）乃至（１１）のいずれかに記載の臭気拡散防止器具である。
【００１８】
また、（１３）に、プラスチックパイプ或いはビニル被覆アルミニウムパイプで枠組みされてなる（１）乃至（１２）のいずれかに記載の臭気拡散防止器具である。
【考案の効果】
【００１９】
本考案によれば、消臭性のある通気性布帛からなるテント状の器具であり、寝たきりの人の寝具上での臥床状態での排尿、排便時や、下着・おむつ交換時に用いる臭気拡散防止器具であり、人体の腰部又は全体を覆う形状となっているため、消臭機能を有する通気性布帛が臭気を消臭することにより周囲に臭気が拡散しにくく、また、該臭気拡散防止器具の側面に開閉できる開口部を一カ所以上配し、介護者が糞尿の処理やおむつ替えの作業を容易に行える臭気拡散防止器具を提供することができる。
【考案を実施するための最良の形態】
【００２０】
以下、本考案について、図１〜４を参考に詳細に説明するが、本考案は図１〜４に限定されるものではない。
本考案の臭気拡散防止器具はテント状で、寝具上の寝たきりの人等の被介護人の腰部あるいは全身を覆うように被せて使用する。臭気拡散防止器具の形状は三角柱状、蒲鉾形状、半球形状、箱形形状等特に限定するものではなく、適宜に設定できる。
【００２１】
本考案に採用される消臭性布帛は、布帛に活性炭、ゼオライト等のセラミックス、金属イオン、酸化チタン等や芳香マイクロカプセル剤を単独或いは２種以上用い、パディング法、グラビア法やスプレー法などで付与したものや、布帛を構成する繊維にこれらを練り込んだ消臭性繊維を使用することが出来る。
【００２２】
本考案に採用される布帛を構成する繊維素材としては、ナイロン６、ナイロン６６に代表されるポリアミド系繊維、ポリエチレンテレフタレート、ポリブチレンテレフタレート等のポリエステル系繊維、ポリエチレン、ポリプロピレン等のポリオレフィン系繊維、アクリル繊維、ウレタン繊維等の合成繊維、アセテート等の半合成繊維、ビスコースレーヨン等のセルロース系再生繊維、牛乳タンパク繊維等のタンパク質系再生繊維、天然ゴム繊維、また、木綿、羊毛、絹、麻等等の天然繊維を挙げることができ、これらの繊維からなる糸が単独で構成されていても引き揃えまたは複合された状態で構成されていてもよい。
また、用いる布帛の形態としては、通気性を有し、消臭剤を多量に保持できるように立体的な形態となれば良く、織物、編物、不織布等いずれの種類であってもよいが、耐久性及び消臭剤を多量に付与でき、形態安定性に優れる点で上下の地組織を連結糸で接続した立体構造のダブルラッセル経編地が好ましく用いられる。
【００２３】
本考案に採用される消臭機能を有する布帛の通気性は、２０〜１００ｃｃ／ｃｍ２・ｓｅｃであることが好ましい。通気性が２０ｃｃ／ｃｍ２・ｓｅｃ未満では、臭気が消臭性布帛を通過しにくいため消臭効果が十分に働かず、また、通気性に乏しく、被介護人が蒸れる虞があり、１００ｃｃ／ｃｍ２・ｓｅｃより多くなると臭気が消臭されないまま外部へ拡散する虞がある。
【００２４】
本考案に採用される布帛は、透けを防止し、被介護人を第三者の視線から遮るために、染色などにより着色されていることが望ましく、また、介護者の作業性を考慮し、本臭気拡散防止器具に一部透明のプラスティックフィルムなどからなる覗き窓を設置しておくことが好ましい。
該覗き窓は、図１から４に示すように、該臭気拡散防止器具の側面に設けられることが好ましく、更には、開口部の上部に設けられることが好ましい。開口部の上部に設けることで覗き窓から被介護人の腰部を確認しながら作業ができるので効率的に作業ができる。覗き窓は接着、溶着や縫製などにより該臭気拡散防止器具に適宜取り付けることが出来る。
【００２５】
本考案の臭気拡散防止器具は、プラスチックパイプや軽量ビニル被覆アルミニウムパイプ等で枠組みが形成されていることが好ましい。これらを用いることにより、消臭性のある通気性布帛を枠材に張設保持出来且つ、介護者が一人で持ち運べるため、本考案の臭気拡散防止器具が一台あれば、簡単に多数の被介護人に使い回すことができる。また、図３や図４に示すような、被介護人の腰部と寝具を含み覆うタイプや被介護人の全身と寝具を含んで覆うタイプのものはキャスターを付設することにより移動させやすくなる。
また、本臭気拡散防止器具には、尿瓶による排尿、脱糞後の処理、下着やおむつ替えなどの作業がし易いように、該器具の側面および／または上面などに開閉できる開口部が一カ所以上配されてなるものである。介護者が該開口部から手を挿入し、被介護人のおむつや尿瓶を交換することが出来る。開口部の数は、おむつ交換等の作業性を考慮し適宜に決めることができる。周囲に臭気が漏れにくく形成された開口部の大きさは、おむつや尿瓶交換の作業性を考慮し、適宜設定できる。
本考案でいう臭気が漏れにくく形成された開口部とは、ファスナー、面ファスナー、フックやボタンなどで開閉が出来るように形成されたものであり、開口部を閉じることにより、臭気を漏れにくくすることができる。
【００２６】
また、本考案において、消臭性布帛として、消臭剤が付与されたダブルラッセル等の立体的な編物を全面に用い、更に該臭気拡散防止器具内部の天井部および／または側面部に、消臭剤性を有するダブルラッセル等の立体的な編物をプリーツ状にした布帛を縫製や接着などで取り付けておくことにより、内部で発生した臭気と該消臭機能及び、消臭機能が付与された布帛との接触面積が大きくなり、消臭効率を更に高くすることができるので好ましい。
【００２７】
また、本考案の臭気拡散防止器具は、臭気拡散防止器具の人体侵入方向の端部の側面下部に切れ込みを付設することが好ましい。該切れ込みを設けることにより、該臭気被拡散防止器具を人に被覆した際に、隙間を少なくすることが出来、効果的に臭気が漏れるのを防ぐことが出来る。また、該臭気拡散防止器具を容易に被介護人に被せることができる。また、切れ込み部分にファスナーを設けることで、体型に合わせて、隙間を更に小さくすることが出来る。
【００２８】
また、該臭気拡散防止器具に周囲に臭気が漏れにくく形成された開口部を設ける方法は、縫製してカーテン状のものを形成する方法、織編にて形成する方法、繊維基材に切り込みを入れるなどが挙げられるが、特に限定されない。開閉可能な開口部の形状は円形、楕円形、四角形、その他多角形など、特に限定されないが、手や身体の一部を挿入するため角が無い、孤を描く円形状が好ましい。
【図面の簡単な説明】
【００２９】
【図１】本考案の箱形の臭気拡散防止器具を使用した例である。
【図２】本考案の蒲鉾型形状の臭気拡散防止器具を用いた例である。
【図３】本考案の、ベッドを使用時に床に置いて用いる臭気拡散防止器具の例である。
【図４】本考案の、被介護人全体を覆う形状の臭気拡散防止器具の例である。
【符号の説明】
【００３０】
１．消臭性布帛
２．枠組み
３．被介護人
４．寝具ベッド
５．被介護人侵入部切り込み
６．開口部
７．覗き窓
８．キャスター
【図１】
0003135134.tif 000003
【図２】
0003135134.tif 000004
【図３】
0003135134.tif 000005
【図４】
0003135134.tif 000006